(57)【要約】      （修正有）【課題】操作部の操作により入力を行う入力装置に関し、薄型化が可能な入力装置を提供する。【解決手段】本発明は、操作面の操作位置に応じた検出信号を出力するタッチパネルと、入力操作を行う操作手段と、操作手段の入力動作をタッチパネルに伝達する操作機構とを有し、タッチパネルは一対の基板から構成される抵抗膜方式あるいは光学式で構成され、操作機構は操作手段のタッチパネル側の操作面に対向する側に設けられた第一の磁性体と基板上あるいは操作面に敷設された第二の磁性体からなることを特徴とする。【選択図】図２
2006039755.tif 000002
【特許請求の範囲】
【請求項１】
操作面の操作位置に応じた検出信号を出力するタッチパネルと、
入力操作を行う操作手段と、
前記操作手段の入力動作を前記タッチパネルに伝達する操作機構とを有することを特徴とする入力装置。
【請求項２】
前記タッチパネルは、一対の基板から構成される抵抗膜方式のタッチパネルから構成され、
前記操作機構は、前記操作手段の前記タッチパネル側の操作面に対向する側に設けられた第１の磁性体と、
前記タッチパネルの前記操作手段に対向する側の基板に対向する基板上に設けられた第２の磁性体とを有し、
前記第１の磁性体と前記第２の磁性体とを磁気的に相互作用させて、互いに吸着させることにより、前記タッチパネルの一対の基板を互いに接触させ、前記タッチパネルを操作することを特徴とする請求項１記載の入力装置。
【請求項３】
前記タッチパネルは、一対の基板から構成される抵抗膜方式のタッチパネルから構成され、
前記操作機構は、前記操作手段の前記タッチパネル側の操作面に対向する側に設けられた第１の磁性体と、
前記タッチパネルの前記操作手段が配置される側の面とは反対側の面に配置され、該面沿って移動可能に設けられた第２の磁性体とを有し、
前記第１の磁性体と前記第２の磁性体とを磁気的に相互作用させて、互いに吸着させることにより、前記第１の磁性体と前記第２の磁性体とにより前記タッチパネルを挟持させ、前記タッチパネルを操作することを特徴とする請求項１記載の入力装置。
【請求項４】
前記タッチパネルは、一対の基板から構成される抵抗膜方式のタッチパネルから構成され、
前記操作機構は、前記操作手段の前記タッチパネル側の操作面に対向する側に設けられた第１の磁性体と、
前記タッチパネルの前記操作手段が配置される側の面とは反対側の面に変形可能に配置された第２の磁性体とを有し、
前記第１の磁性体と前記第２の磁性体とを磁気的に相互作用させて、互いに吸着させることにより、前記タッチパネルを操作することを特徴とする請求項１記載の入力装置。
【請求項５】
前記タッチパネルは、光学式のタッチパネルから構成され、
前記操作機構は、前記操作手段の前記タッチパネル側の操作面に対向する側に設けられた第１の磁性体と、
前記タッチパネルの前記操作面上に敷設された第２の磁性体と有し、
前記第１の磁性体と前記第２の磁性体とを磁気的に相互作用させて、互いに吸着させることにより、前記第２の磁性体を変形させ、前記第２の磁性体により前記操作面上で検出用の光を遮断し、前記タッチパネルを操作することを特徴とする請求項１記載の入力装置。
【請求項６】
前記タッチパネルは、光学式のタッチパネルから構成され、
前記操作機構は、前記操作手段の前記タッチパネル側の操作面に対向する側に設けられた第１の磁性体と、
前記タッチパネルの前記操作面上に配置され、前記操作面に沿って移動可能に設けられた第２の磁性体とを有し、
前記第１の磁性体と前記第２の磁性体とを磁気的に相互作用させて、互いに吸着させることにより、前記第２の磁性体を前記操作手段の操作位置に配置し、前記第２の磁性体により前記操作面上で検出用の光を遮断し、前記タッチパネルを操作することを特徴とする請求項１記載の入力装置。
【請求項７】
前記操作手段を前記タッチパネルの操作面に沿って移動させる移動機構を有することを特徴とする請求項１乃至６のいずれか一項記載の入力装置。
【請求項８】
前記操作手段は、着脱可能とされたことを特徴とする請求項１乃至７のいずれか一項記載の入力装置。
【請求項９】
前記タッチパネルは、その操作面が曲面形状とされたことを特徴とする請求項１乃至８のいずれか一項記載の入力装置。
【請求項１０】
前記第１の磁性体又は前記第２の磁性体のいずれか一方は、対向する面が曲面形状とされたことを特徴とする請求項２乃至９のいずれか一項記載の入力装置。
【発明の詳細な説明】
【技術分野】
【０００１】
本発明は入力装置に係り、特に、操作手段の操作により入力を行う入力装置に関する。
【背景技術】
【０００２】
従来の操作レバーなどの操作手段を用いて操作を行うような入力装置では、永久磁石とホール素子などの磁電変換素子により構成される。このとき、磁電変換素子の上に永久磁石を機械的に揺動可能に配置していた。このため、薄型化が困難であった。
【０００３】
一方、薄型の座標入力装置としてはタッチパネルが存在する。タッチパネルは、一対の抵抗シートを所定の間隙をあけて配置し、一方の抵抗シートに電圧を印加して他方の抵抗シートの電位を計測することにより接触位置を検出していた（特許文献１）。
【０００４】
【特許文献１】特開昭６１−２５９３２４号公報
【発明の開示】
【発明が解決しようとする課題】
【０００５】
しかるに、従来の操作レバーなどの操作手段を用いて操作を行うような入力装置は、磁電変換素子の上に永久磁石を機械的に揺動可能に配置する構造であったため、薄型化が困難であるなどの課題があった。
【０００６】
また、タッチパネルは、薄型化は可能であるものの、指やペンなどを用いて直接的に入力を行うものであり、操作レバーなどの操作手段を用いて操作を行うような構造には不向きであった。
【０００７】
本発明は上記の点に鑑みてなされたもので、薄型化が可能な操作手段により入力可能な入力装置を提供することを目的とする。
【課題を解決するための手段】
【０００８】
本発明は、操作面の操作位置に応じた検出信号を出力するタッチパネルと、入力操作を行う操作手段と、操作手段の入力動作をタッチパネルに伝達する操作機構とを有することを特徴とする。
【０００９】
タッチパネルは、一対の基板から構成される抵抗膜方式のタッチパネルから構成され、操作機構は、操作手段のタッチパネル側の操作面に対向する側に設けられた第１の磁性体と、タッチパネルの操作手段に対向する側の基板に対向する基板上に設けられた第２の磁性体とを有し、第１の磁性体と前記第２の磁性体とを磁気的に相互作用させて、互いに吸着させることにより、タッチパネルの一対の基板を互いに接触させ、タッチパネルを操作することを特徴とする。
【００１０】
また、タッチパネルは、一対の基板から構成される抵抗膜方式のタッチパネルから構成され、操作機構は、操作手段の前記タッチパネル側の操作面に対向する側に設けられた第１の磁性体と、タッチパネルの操作手段が配置される側の面とは反対側の面に配置され、その面沿って移動可能に設けられた第２の磁性体とを有し、第１の磁性体と第２の磁性体とを磁気的に相互作用させて、互いに吸着させることにより、第１の磁性体と第２の磁性体とによりタッチパネルを挟持させ、タッチパネルを操作することを特徴とする。
【００１１】
タッチパネルは、一対の基板から構成される抵抗膜方式のタッチパネルから構成され、操作機構は、操作手段の前記タッチパネル側の操作面に対向する側に設けられた第１の磁性体と、タッチパネルの操作手段が配置される側の面とは反対側の面に変形可能に配置された第２の磁性体とを有し、第１の磁性体と第２の磁性体とを磁気的に相互作用させて、互いに吸着させることにより、タッチパネルを操作することを特徴とする。
【００１２】
タッチパネルは、光学式のタッチパネルから構成され、操作機構は、操作手段のタッチパネル側の操作面に対向する側に設けられた第１の磁性体と、タッチパネルの前記操作面上に敷設された第２の磁性体と有し、第１の磁性体と第２の磁性体とを磁気的に相互作用させて、互いに吸着させることにより、第２の磁性体を変形させ、第２の磁性体により操作面上で検出用の光を遮断し、タッチパネルを操作することを特徴とする。
【００１３】
タッチパネルは、光学式のタッチパネルから構成され、操作機構は、操作手段のタッチパネル側の操作面に対向する側に設けられた第１の磁性体と、タッチパネルの操作面上に配置され、操作面に沿って移動可能に設けられた第２の磁性体とを有し、第１の磁性体と第２の磁性体とを磁気的に相互作用させて、互いに吸着させることにより、第２の磁性体を操作手段の操作位置に配置し、第２の磁性体により操作面上で検出用の光を遮断し、タッチパネルを操作することを特徴とする。
【００１４】
操作機構は、操作手段をタッチパネルの操作面に沿って移動させる移動機構を有することを特徴とする。
【００１５】
操作手段は、着脱可能とされたことを特徴とする。
【００１６】
タッチパネルは、その操作面が曲面形状とされたことを特徴とする。
【００１７】
第１の磁性体又は前記第２の磁性体のいずれか一方は、対向する面が曲面形状とされたことを特徴とする。
【発明の効果】
【００１８】
本発明によれば、操作手段のタッチパネル側の操作面に対向する側に設けられた第１の磁性体と、タッチパネルの操作手段に対向する側の基板に対向する基板上に設けられた第２の磁性体とを有し、第１の磁性体と第２の磁性体とを磁気的に相互作用させて、互いに吸着させることにより、タッチパネルの一対の基板を互いに接触させ、タッチパネルを操作することにより、タッチパネル自体が薄型化であるので、操作手段により入力操作を行う構成の入力装置全体を薄型化することが可能となる。
【発明を実施するための最良の形態】
【００１９】
〔情報処理システム１〕
図１は本発明の一実施例のシステム構成図を示す。
【００２０】
本実施例では、ゲーム機やパーソナルコンピュータなどの情報処理システム１に本発明の入力システム１１を用いた例について説明する。
【００２１】
情報処理システム１は、入力システム１１及びホスト装置１２から構成される。
【００２２】
入力システム１１は、入力装置２１の入力動作により、操作レバーなどの操作手段の操作に応じて入力情報を作成して、ホスト装置１２に供給する。ホスト装置１２は、入力システム１１から供給された入力情報に応じて表示装置などに表示されるポインタやカーソルなどを移動させる処理を行う。
【００２３】
〔入力システム１１〕
入力システム１１は、入力装置２１及び回路基板２２から構成される。
【００２４】
入力装置２１は、操作面の操作位置に応じた検出信号を出力するタッチパネル３１、入力操作を行う操作手段３２、操作手段３２の入力動作をタッチパネル３１に伝達する操作機構３３を有する。タッチパネル３１は、抵抗膜方式のタッチパネルから構成されており、操作手段３２の入力動作に応じた検出信号を出力し、回路基板２２に供給する。なお、入力装置２１の構造については後で詳細に説明する。
【００２５】
回路基板２２は、プリント配線板上に切換回路４１、アナログ−ディジタル変換器４２、ＣＰＵ４３を搭載した構成とされている。
【００２６】
切換回路４１は、ＣＰＵ４３からの指示に応じてタッチパネル３１に形成された電極への電圧の印加を切り換える。
【００２７】
アナログ−ディジタル変換器４２は、切換回路４１により選択された検出信号をディジタルデータに変換する。アナログ−ディジタル変換器４２で変換されたデータは、ＣＰＵ４３に供給される。
【００２８】
ＣＰＵ４３は、演算部５１、クロック発生部５２、記憶部５３、インタフェース部５４から構成される。演算部５１は、記憶部５３に記憶されたプログラムによりアナログ−ディジタル変換器４２から供給されたデータに基づいて入力情報を作成する処理を行う。なお、このとき、演算部５１は、クロック発生部５２からのクロックに基づいて処理を実行する。演算部５１で作成された入力情報は、インタフェース部５４に供給される。インタフェース部５４は、ホスト装置１２とのインタフェースをとり、入力情報をホスト装置１２に供給する。
【００２９】
〔入力装置２１〕
図２は入力装置２１の斜視図、図３は入力装置２１の断面図を示す。
【００３０】
タッチパネル３１は、ベース板６１上に配置される。操作手段３２は、タッチパネル３１の上部側、矢印Ｚ１方向側に操作手段３２が配置される。なお、本実施例では、タッチパネル３１の下部基板１２１と操作手段３２とにより、操作機構３３が構成されている。
【００３１】
まず、タッチパネル３１の構造について説明する
図４はタッチパネル３１の分解斜視図を示す。
【００３２】
タッチパネル３１は、抵抗膜方式のタッチパネルから構成されており、下部基板１２１と上部基板１２２との周囲を、スペーサ１２３を介して積層した構成とされている。
【００３３】
下部基板１２１は、可撓性を有する磁性体のフィルム材から構成されおり、導電性を有し、上部基板１２２に接続される。このため、下部基板１２１は磁石などに吸着されて、撓む構成とされている。
【００３４】
上部基板１２２は、ガラス基板１３１上に抵抗膜１３２、電極１３３〜１３６、配線パターン１３４を積層して形成した構成とされている。抵抗膜１３２は、ＩＴＯ（indium tin oxide）などから構成されており、ガラス基板１３１の下部基板１２１と対向する面、すなわち、矢印Ｚ２方向側の面の略全面に亘って形成されている。電極１３３はＡｇ（銀）などから構成されており、抵抗膜１３２上の矢印Ｘ１方向端部に矢印Ｙ１、Ｙ２方向に平行に形成されている。電極１３４は、Ａｇ（銀）などから構成されており、抵抗膜１３２上の矢印Ｘ２方向端部に矢印Ｙ１、Ｙ２方向に平行に形成されている。
【００３５】
電極１３５は、Ａｇ（銀）などから構成されており、抵抗膜１３２上の矢印Ｙ１方向端部に矢印Ｘ１、Ｘ２方向に平行に形成されている。電極１３６は、Ａｇ（銀）などから構成されており、抵抗膜１３２上の矢印Ｙ２方向端部に矢印Ｙ１、Ｙ２方向に平行に形成されている。
【００３６】
配線パターン１３７は、抵抗膜１３２上に絶縁層を介して配線されており、一端が電極１３３〜１３６及び接続パッド１３９に接続され、他端がケーブル１４０の一端に接続されている。また、接続パッド１３９は、上部基板１２１に接続されている。なお、ケーブル１４０の他端は、回路基板２２に接続される。
【００３７】
次に操作手段３２について説明する。
【００３８】
操作手段３２は、操作ツマミ１４１及びヘッド部１４２から構成されており、操作ツマミ１４１とヘッド部１４２とで移動機構１５０を挟持して、ヘッド部１４２を操作ツマミ１４１に螺入することにより、移動機構１５０に係合される。
【００３９】
操作ツマミ１４１は、ツマミ部１４３及び係合部１４４から構成されており、移動機構１５０の矢印Ｚ１方向側に配置される。係合部１５０は、移動機構１５０に摺動可能に係合する。
【００４０】
移動機構１５０は、第１移動機構部１５１、及び、第２移動機構部１５２から構成されている。
【００４１】
第１移動機構部１５１は、フレーム部１６１及びガイド部１６２から構成されている。フレーム部１６１は、長方形状をなし、その矢印Ｘ１、Ｘ２方向に平行する辺の下面側、矢印Ｚ２方向面側の内周縁部にはガイド溝１７１、１７２が形成されている。
【００４２】
ガイド部材１６２は、フレーム部１６１のガイド溝１７１とガイド溝１７２との間に矢印Ｙ１、Ｙ２方向に平行に横架されている。ガイド部材１６２は、その両端がガイド溝１７１、１７２によりガイドされて、矢印Ｘ１、Ｘ２方向に移動可能とされている。
【００４３】
また、ガイド部材１６２の中央部には、矢印Ｙ１、Ｙ２方向に沿ってガイド孔１７３が形成されている。操作ツマミ１４１の係合部１４３は、ガイド孔１７３に摺動可能に挿入される。操作ツマミ１４１は、ガイド孔１７３に係合して、矢印Ｙ１、Ｙ２方向に移動可能に保持される。
【００４４】
第２移動機構部１５２は、フレーム部１８１及びガイド部１８２から構成されている。フレーム部１８１は、その矢印Ｙ１、Ｙ２方向に平行する辺の上面側、矢印Ｚ１方向側の面の内周縁部にはガイド溝１９１、１９２が形成されている。ガイド部材１８２は、フレーム部１８１のガイド溝１９１とガイド溝１９２との間に矢印Ｘ１、Ｘ２方向に平行となるように横架されている。ガイド部材１８２は、その両端がガイド溝１９１、１９２によりガイドされて、矢印Ｙ１、Ｙ２方向に移動可能とされている。
【００４５】
また、ガイド部材１８２の中央部には、矢印Ｘ１、Ｘ２方向に沿ってガイド孔１９３が形成されている。操作ツマミ１４１の係合部１４４は、ガイド孔１９３に摺動可能に挿入される。操作ツマミ１４１は、ガイド孔１９３に係合して、矢印Ｘ１、Ｘ２方向に移動可能に保持される。
【００４６】
操作ツマミ１４１の係合部１４４は、上部、矢印Ｚ１方向からガイド部１６２のガイド孔１７３及びガイド部１８２のガイド孔１９３を通して下部、矢印Ｚ２方向に貫通する。係合部１４４にはネジ孔が形成されており、また、ヘッド部１４２には矢印Ｚ１方向に突出して係合部１４４のネジ孔に対応するネジが形成されている。ヘッド部１４２は、ネジ部１４５を係合部１４４のネジ孔１４６に螺入することにより、操作ツマミ１４１に固定される。
【００４７】
ヘッド部１４２は、矢印Ｚ１、Ｚ２方向に磁化されており、永久磁石を構成している。また、ヘッド部１４２は、略円筒状をなし、矢印Ｚ２方向の端面の形状が矢印Ｚ２方向に突出した円錐状あるいは略球面形状の曲面形状とされている。
【００４８】
操作ツマミ１４１の係合部１４４を第１移動機構部１５１のガイド孔１７３及び第２移動機構部１５２のガイド孔１９３を通し、係合部１４４のネジ孔１４５に矢印Ｚ２方向からヘッド部１４２のネジ部１４６を螺入することにより、操作手段３２が移動機構１５０に矢印Ｘ１、Ｘ２、Ｙ１、Ｙ２方向に移動可能に保持される。また、第１移動機構部１５１及び第２移動機構部１５２並びにタッチパネル３１は、ネジ２０１を貫通孔１７４、１９４、１２４を通してベース板６１のネジ孔２１１に螺入することによりベース板６１に固定される。
【００４９】
操作手段３２は、移動機構１５０によって、タッチパネル３１の操作面に沿って、矢印Ｘ１、Ｘ２、Ｙ１、Ｙ２方向にのみ移動するように、その移動方向が規制されている。なお、操作手段３２の移動を第１移動機構部１５１及び第２移動機構部１５２の両方で規制することにより操作ツマミ１４１の移動をスムーズに行える。
【００５０】
また、第１移動機構部１５１及び第２移動機構部１５２並びにタッチパネル３１は、ネジ２０１を貫通孔１７４、１９４、１２４を通してベース板６１のネジ孔２１１に螺入することによりベース板６１に固定することにより、ヘッド部１４２がタッチパネル３１の上部基板１２２の矢印Ｚ１方向の面に接触する。ヘッド部１４２がタッチパネル３１の上部基板１２２の矢印Ｚ１方向の面に接触すると、ヘッド部１４２は、矢印Ｚ１、Ｚ２方向に磁化された永久磁石から構成されており、また、タッチパネル３１の下部基板１２１は可撓性を有する磁性体から構成されているので、図３に示すように下部基板１２１がヘッド部１４２の存在位置で、矢印Ｚ１方向に撓んで、下部基板１２１の上部基板１２２に接触する。このように、本実施例では、操作機構３３は、操作手段３２を構成するヘッド部１４２及びタッチパネル３１の下部基板１２１によって構成されることになる。
【００５１】
なお、タッチパネル３１は、下部基板１２１が上部基板１２２に接触することによって、接触位置に応じた検出信号を、ケーブル１４０を介して回路基板２２に供給する。
【００５２】
回路基板２２では、検出信号をアナログ−ディジタル変換器４２でディジタルデータに変換して、ＣＰＵ４３に供給され、ＣＰＵ４３で検出処理が実行される。
【００５３】
ここで、ＣＰＵ４３で実行される検出処理について説明する。
【００５４】
図５にＣＰＵ４３の検出処理の処理フローチャートを示す。
【００５５】
まず、ＣＰＵ４３は、ステップＳ１−１でタッチパネル３１の電極１３３と電極１３４との間に所定の電圧を印加する。次にＣＰＵ４３は、ステップＳ１−２でタッチパネル３１の下部基板１２１の電位を検出する。下部基板１２１の電位は下部基板１２１の上部基板１２２との矢印Ｘ１、Ｘ２方向の接触位置に応じた電位であり、この検出電位により矢印Ｘ１、Ｘ２方向の座標を検出できる。
【００５６】
次にＣＰＵ４３は、ステップＳ１−３でタッチパネル３１の電極１３５と電極１３６との間に所定の電圧を印加する。ＣＰＵ４３は、ステップＳ１−４でタッチパネル３１の下部基板１２１の電位を検出する。下部基板１２１の電位は下部基板１２１の上部基板１２２との矢印Ｙ１、Ｙ２方向の接触位置に応じた電位であり、この検出電位により矢印Ｙ１、Ｙ２方向の座標を検出できる。
【００５７】
ＣＰＵ４３は、ステップＳ１−５で、ステップＳ１−２で取得した矢印Ｘ１、Ｘ２方向の検出信号とステップＳ１−４で取得した矢印Ｙ１、Ｙ２方向の検出信号とから接触位置の座標データを作成し、ステップＳ１−６で作成した座標データを出力する。
【００５８】
本実施例によれば、操作手段３２により操作を行う入力装置２１を、タッチパネル３１を用いて構成することができるので、薄型化可能となる。また、操作機構３３により接触位置を確実に検出することが可能となる。また、このとき、ヘッド部１６２の下面側の形状を球面形状などの曲面形状とすることにより接触位置の面積を小さくでき、より詳細に位置検出を行える。
【００５９】
また、本実施例では、移動機構１５０を離脱させることによりタッチパネル３１を通常のタッチパネルとして用いることもできる。なお、移動機構１５０を着脱可能な構成としておくことにより、移動機構１５０を装着した状態では、操作手段３２を用いた入力装置として用いることができ、また、移動機構１５０を離脱させた状態では、タッチパネル３１を用いた通常のタッチパネルとして用いることもできる。
【００６０】
なお、タッチパネル３１は、アナログ抵抗膜方式を用いたがこれに限定されるものではなく、マトリクス型抵抗膜方式を用いてもよく、また、５線式に限定されるものではなく、４線式、あるいは、７線式、８線式などであってもよく、要は、その検出方式で限定されない。
【００６１】
なお、本実施例では、タッチパネル３１の下部基板１２１を可撓性磁性体シートで構成したが、タッチパネルの下面に可撓性磁性体シートを配置し、可撓性磁性体シートをヘッド部１６２に吸着し、タッチパネルの下部基板を撓ませることにより、位置検出を行うようにしてもよい。
【００６２】
〔入力装置２１の第１変形例〕
図６は入力装置２１の第１変形例の分解斜視図、図７は入力装置２１の第１変形例の断面図を示す。同図中、図２、図３と同一構成部分には同一符号を付し、その説明は省略する。
【００６３】
本変形例の入力装置３００は、タッチパネル３１１及び可撓性磁性体シート３１２の構成が入力装置２１とは相違する。また、タッチパネル３１１は、下部基板３２１の構成が図２、図３とは相違する。本変形例のタッチパネル３１１の下部基板３２１は、樹脂シート３３１上に導電膜３３２を形成した構成とされており、通常の抵抗膜方式のタッチパネルと同様な構造とされている。可撓性磁性体シート３１２は、ベース板６１とタッチパネル３１１との間に配置されている。
【００６４】
本変形例によれば、図７に示されるように可撓性磁性体シート３１２がタッチパネル３１１を介してヘッド部１４２に吸着される。このとき、可撓性磁性体シート３１２が撓み下部基板３２１が上部基板１２２側、矢印Ｚ１方向に押圧されて、上部基板１２２に接触する。
【００６５】
なお、本実施例では、操作機構３３をタッチパネル３１の下部基板１２１又はタッチパネル３１１の下部に配置された可撓性磁性体シート３１２を操作手段３２のヘッド部１６２の磁力により吸着することにより構成したが、これに限定されるものではなく、タッチパネル３１、３１１の下部に磁性体片を設けるようにしてもよい。
【００６６】
〔入力装置２１の第２変形例〕
図８は入力装置２１の第２変形例の分解斜視図、図９は入力装置２１の第２変形例の断面図を示す。同図中、図２、図３及び図６、図７と同一構成部分には同一符号を付し、その説明は省略する。
【００６７】
本変形例の入力装置４００は、まず、ベース板４１１の構造が入力装置２１とは相違する。
【００６８】
本変形例のベース板４１１は断面形状が凹状とされている。ベース板４１１の凹部４２１には、磁性球体４１２が収納される。なお、磁性球体４１２の直径は、ベース板４１１の凹部４２１の高さ程度とされている。
【００６９】
また、本変形例のタッチパネル３１１は、第１変形例と同様に下部基板３２１が樹脂フィルム３３１の上部基板１２２に対向する面に導電膜３３２を形成した構成とされている。さらに、本変形例の操作手段４１３は、ヘッド部４３１の矢印Ｚ２方向の端面形状が平面形状とされている。
【００７０】
本変形例によれば、図９に示されるように磁性球体４１２がタッチパネル３１１を介してヘッド部４３１に吸着される。このとき、磁性球体４１２により下部基板３２１が撓み、上部基板１２２に接触する。また、操作手段４１３を移動させることにより、磁性球体４１２が操作手段４１３の移動に追従して移動する。このとき、磁性球体４１２は、球体形状であるので、回転しつつ移動が可能であり、移動をスムーズに行える。
【００７１】
また、本変形例によれば、ヘッド部１４２の矢印Ｚ２方向の端面の形状を平面形状とし、磁性球体４１２をヘッド部１４２に吸着させることにより、磁性球体４１２を確実に吸着させつつ、タッチパネル３１１の接触位置の面積を小さくでき、より詳細に位置検出を行える。
【００７２】
〔入力装置２１の第３変形例〕
図１０は入力装置２１の第３変形例の分解斜視図、図１１は入力装置２１の第３変形例の断面図を示す。同図中、図２、図３と同一構成部分には同一符号を付し、その説明は省略する。
【００７３】
本変形例の入力装置５００は、タッチパネルとして光学式のタッチパネルを採用したものである。
【００７４】
本変形例のベース板５１１は断面形状が略凹状とされ、各辺に切欠部５２１〜５２４を有する。ベース板５１１の凹部５２５には、可撓性磁性体シート５３１が収納される。なお、可撓性磁性体シート５３１は、ベース板５１１の凹部５２５の底面形状と略同じ形状とされている。また、ベース板５１１の上面、矢印Ｚ１方向の面には分離板５４１が固定されている。
【００７５】
本変形例のベース板５１１の切欠部５２１には、発光手段５５１が装着される。発光手段５５１は、例えば、発光素子を矢印Ｙ１、Ｙ２方向に配列した構成とされ、凹部５２５の内側、矢印Ｘ２方向に光を出射する構成とされている。
【００７６】
ベース板５１１の切欠部５２２には、受光手段５６１が装着される。受光手段５６１は、例えば、受光素子を矢印Ｙ１、Ｙ２方向に配列した構成とされ、凹部５２５の内側、矢印Ｘ１方向からの光を検出する構成とされている。
【００７７】
ベース板５１１の切欠部５２３には、発光手段５５２が装着される。発光手段５５２は、例えば、発光素子を矢印Ｘ１、Ｘ２方向に配列した構成とされ、凹部５２５の内側、矢印Ｙ２方向に光を出射する構成とされている。
【００７８】
ベース板５１１の切欠部５２４には、受光手段５６２が装着される。受光手段５６２は、例えば、受光素子を矢印Ｘ１、Ｘ２方向に配列した構成とされ、凹部５２５の内側、矢印Ｙ１方向からの光を検出する構成とされている。
【００７９】
本変形例によれば、図１１に示されるように可撓性磁性体シート５３１が分離板５４１を介してヘッド部１４２に吸着される。可撓性磁性体シート５３１が分離板５４１を介してヘッド部１４２に吸着されることにより可撓性磁性体シート５３１が撓み、撓んだ位置で、発光手段５５１、５５２と受光手段５６１、５６２との間が遮光される。受光手段５６１、５６２とにより、遮光された位置を検出することによって、操作手段３２の位置を検出することができる。
【００８０】
なお、本変形例によれば、ヘッド部１４２により可撓性磁性体シート５３１を吸着し、可撓性磁性体シート５３１を撓ませて、位置検出を行っているが、可撓性磁性体シート５３１に代えて、磁性体片を用いるようにしてもよい。
【００８１】
〔入力装置２１の第４変形例〕
図１２は入力装置２１の第４変形例の分解斜視図、図１３は入力装置２１の第４変形例の断面図を示す。同図中、図１０、図１１と同一構成部分には同一符号を付し、その説明は省略する。
【００８２】
本変形例の入力装置６００は、ベース板５１１の凹部５２５に、可撓性磁性体シート５３１に代えて磁性体球６１１を収納した構成とされている。なお、磁性体球６１１の直径は、凹部５２５の高さ程度とされている。
【００８３】
本変形例によれば、図１３に示されるように磁性体球６１１が分離板５４１を介してヘッド部１４２に吸着される。磁性体球６１１が分離板５４１を介してヘッド部１４２に吸着されることにより、磁性体球６１１により発光手段５５１、５５２と受光手段５６１、５６２との間が遮光される。受光手段５６１、５６２とにより、遮光された位置、すなわち、ヘッド部１４２の位置を検出することができる。
【００８４】
〔その他〕
なお、本実施例では、タッチパネルとして抵抗膜方式、光学方式について説明したが、これに限定されるものではなく、静電容量方式、超音波方式など他の方式のタッチパネルを用いるようにしてもよい。また、抵抗膜方式のタッチパネルの場合、上部基板をガラス基板ではなく、樹脂フィルムで構成するようにしてもよい。
【図面の簡単な説明】
【００８５】
【図１】本発明の一実施例のシステム構成図である。
【図２】入力装置２１の分解斜視図である。
【図３】入力装置２１の断面図である。
【図４】タッチパネル３１の分解斜視図である。
【図５】ＣＰＵ４３の検出処理の処理フローチャートである。
【図６】入力装置２１の第１変形例の分解斜視図である。
【図７】入力装置２１の第１変形例の断面図である。
【図８】入力装置２１の第２変形例の分解斜視図である。
【図９】入力装置２１の第２変形例の断面図である。
【図１０】入力装置２１の第３変形例の分解斜視図である。
【図１１】入力装置２１の第３変形例の断面図である。
【図１２】入力装置２１の第４変形例の分解斜視図である。
【図１３】入力装置２１の第４変形例の断面図である。
【符号の説明】
【００８６】
１  情報処理システム
１１  入力システム、１２  ホスト装置
２１、３００、４００、５００、６００  入力装置、２２  回路基板
３１  タッチパネル、３２  操作手段、３３  操作機構
４１  切換回路、４２  アナログ−ディジタル変換器、４３  ＣＰＵ
５１  演算部、５２  クロック発生部、５３  記憶部、５４  インタフェース部
６１  ベース板
１２１  下部基板、１２２  上部基板、１２３  スペーサ
１４１  操作レバー、１４２  ヘッド部
１５０  移動機構
【図１】
2006039755.tif 000003
【図２】
2006039755.tif 000004
【図３】
2006039755.tif 000005
【図４】
2006039755.tif 000006
【図５】
2006039755.tif 000007
【図６】
2006039755.tif 000008
【図７】
2006039755.tif 000009
【図８】
2006039755.tif 000010
【図９】
2006039755.tif 000011
【図１０】
2006039755.tif 000012
【図１１】
2006039755.tif 000013
【図１２】
2006039755.tif 000014
【図１３】
2006039755.tif 000015